(57)【要約】【課題】塗布部を用いて、化粧料を肌に効率良く塗り広げることができる化粧料塗布具を提供すること。【解決手段】把持部４と該把持部４の軸方向Ｘに対して傾斜した塗布部２とを備え、塗布部２に化粧料の吐出孔２１を有する化粧料塗布具１であって、吐出孔２１は、把持部４の軸方向Ｘから視た塗布部２の平面視において、該塗布部２の傾斜上端側の一端部２ｕと傾斜下端側の他端部２ｄとの間の距離を２等分する中央位置Ｃより該他端部２ｄ側に位置している。【選択図】図２
2015019835.tif 000002
【特許請求の範囲】
【請求項１】
把持部と該把持部の軸方向に対して傾斜した塗布部とを備え、該塗布部に化粧料の吐出孔を有する化粧料塗布具であって、
前記吐出孔は、前記把持部の軸方向から視た前記塗布部の平面視において、該塗布部の傾斜上端側の一端部と傾斜下端側の他端部との間の距離を２等分する中央位置より該他端部側に位置している、化粧料塗布具。
【請求項２】
前記塗布部は、弾性成形体からなる部分を有し、該部分が、前記把持部と結合した支持部によって支持されており、
前記弾性成形体からなる部分は、前記塗布部の傾斜上端側に、前記支持部の周面の位置より延出した部分を有している、請求項１記載の化粧料塗布具。
【請求項３】
前記弾性成形体からなる部分は、前記塗布部の傾斜下端側にも、前記支持部の周面の位置より延出した部分を有しており、該支持部の周面から、前記塗布部の傾斜上端側の一端部までの距離が、該支持部の周面から、該塗布部の傾斜下端側の他端部までの距離よりも長い、請求項２記載の化粧料塗布具。
【請求項４】
前記塗布部は、弾性成形体からなる部分を有し、該部分が、前記把持部と結合した支持部によって支持されており、
前記弾性成形体からなる部分は、前記支持部の周面内に配置されている、請求項１記載の化粧料塗布具。
【請求項５】
前記塗布部は、弾性成形体からなる部分と、該部分に周囲を囲まれた前記弾性成形体より硬い材料からなるマッサージ用構造体とを備えている、請求項１〜４の何れか１項記載の化粧料塗布具。
【請求項６】
前記弾性成形体は、ＪＩＳ  Ｋ６２５３で規定するデュロメータ硬さが０〜９０である、請求項１〜５の何れか１項記載の化粧料塗布具。
【請求項７】
前記塗布部は、少なくとも肌に当接される塗布面が非多孔質材料からなる、請求項１〜６の何れか１項記載の化粧料塗布具。
【請求項８】
前記塗布部は、人の手の指先大の大きさを有している、請求項１〜７の何れか１項記載の化粧料塗布具。
【発明の詳細な説明】
【技術分野】
【０００１】
本発明は、化粧料塗布具に関する。
【背景技術】
【０００２】
化粧料を収容する容器部と、該容器部から吐出させた化粧料を肌に塗り広げるための塗布部とを有する化粧料塗布具が知られている。
例えば、特許文献１には、内容物の吐出孔を備えた塗布部を備えた包装用チューブが開示されている。
【先行技術文献】
【特許文献】
【０００３】
【特許文献１】意匠登録第１４３９１０７号公報
【発明の概要】
【発明が解決しようとする課題】
【０００４】
しかし、特許文献１の包装用チューブにおいては、塗布部の先端部付近に吐出孔が設けられており、吐出孔から吐出させた内容物を、塗布部で肌に塗り広げるのに適していない。
【０００５】
したがって本発明の課題は、従来技術が有する欠点を解消し得る化粧料塗布具を提供することにある。
【課題を解決するための手段】
【０００６】
本発明は、把持部と該把持部の軸方向に対して傾斜した塗布部とを備え、該塗布部に化粧料の吐出孔を有する化粧料塗布具であって、前記吐出孔は、前記把持部の軸方向から視た前記塗布部の平面視において、該塗布部の傾斜上端側の一端部と傾斜下端側の他端部との間の距離を２等分する中央位置より該他端部側に位置している、化粧料塗布具を提供するものである。
【発明の効果】
【０００７】
本発明の化粧料塗布具によれば、塗布部を用いて、化粧料を肌に効率良く塗り広げることができる。
【図面の簡単な説明】
【０００８】
【図１】図１は、本発明の化粧料塗布具の一実施形態を示す側面図である。
【図２】図２は、図１に示す化粧料塗布具の要部を示す拡大斜視図である。
【図３】図３は、図２のＩＩＩ−ＩＩＩ線断面図である。
【図４】図４は、本発明の化粧料塗布具を用いて化粧料の塗布を行う様子を示す斜視図である。
【図５】図５は、本発明の化粧料塗布具の他の実施形態を示す模式図である。
【発明を実施するための形態】
【０００９】
以下本発明を、その好ましい実施形態に基づき図面を参照しながら説明する。
本発明の一実施形態である化粧料塗布具１は、図１に示すように、把持部４と該把持部の軸方向Ｘに対して傾斜した塗布部２とを備えており、図２及び図３に示すように、塗布部２に化粧料の吐出孔２１を有する。また、吐出孔２１は、その全体が、把持部の軸方向Ｘから視た塗布部２の平面視〔図３（ａ）参照〕において、塗布部２の傾斜上端側の一端部２ｕと傾斜下端側の他端部２ｄとの間の距離Ｌを２等分する中央位置Ｃより該他端部２ｄ側に位置している。
【００１０】
本実施形態の化粧料塗布具１について、より詳細に説明すると、化粧料塗布具１は、図１に示すように、チューブ容器４０からなる把持部４を有しており、例えば、図４に示すように、把持部４を手５に持ち、顔等における肌面に、チューブ容器４０内に収容された化粧料を塗り広げるために使用される。塗布部２は、把持部４の軸方向Ｘにおける一端に設けられている。
【００１１】
本実施形態における塗布部２は、図３（ｂ）に示すように、弾性を有する合成樹脂製の弾性成形体からなる部分２２と、該部分２２に周囲を囲まれた弾性成形体より硬い材料からなるマッサージ用構造体２３とを備えている。
弾性成形体は、例えば射出成形等の公知の成形方法により得られた非多孔質の成形体である。弾性成形体は軟質であって、指先で押圧する程度の力で容易に変形し、押圧後には元の形状に復帰することが好ましい。
本実施形態における塗布部２は、図３に示すように、傾斜した上面２ａと、上面２ａと同様の角度で傾斜した平面状の下面２ｂと、それらの間に位置する周側面２ｃとを有する。そして、傾斜した上面２ａが、肌面に当接させて、化粧料を肌面に塗り広げる塗布面となっている。
【００１２】
塗布部２を構成する弾性成形体は、肌面の凹凸に沿って追従変形する柔軟性を確保する観点から、ＪＩＳ  Ｋ６２５３で規定するデュロメータ硬さが、好ましくは０〜９０、より好ましくは０〜５０、更に好ましくは３〜３０、更により好ましくは５〜３０である。かかる範囲のデュロメータ硬さはタイプＡ（瞬間値）での硬さである。
なお、前記デュロメータ硬さは、ＪＩＳ  Ｋ６２５３の規定に従い、塗布部２を構成する材料で作られた厚み６ｍｍのシート状試験片を用いて測定する。
【００１３】
弾性成形体の原料とする合成樹脂としては、シリコーンゴム、エラストマー樹脂などの樹脂材料等が挙げられるが、成形性の点からエラストマー樹脂であることが好ましい。
【００１４】
本発明における弾性成形体としては、発泡ポリウレタン等の樹脂発泡体からなる多孔質のもの（多孔質材料）を用いることもできるが、塗布部２は、少なくとも、肌に当接される塗布面が非多孔質（非多孔質材料）であることが好ましく、塗布部２を構成する弾性成形体の全体が非多孔質からなることがより好ましい。塗布部２の塗布面が非多孔質であることによって、化粧料を塗り広げる際に、あるいはマッサージ用構造体を用いて、マッサージやツボ押しをする際に、塗布した化粧料が掻き取られにくくなり、化粧料を均一に塗布すること等が容易となる。
【００１５】
本実施形態における塗布部２は、把持部４の軸方向Ｘに対して傾斜させて設けられており、塗布部２の上面２ａ及び下面２ｂは、図３に示すように、同じ角度で、把持部４の軸方向Ｘに対して傾斜している。また、塗布部２は、弾性成形体からなる部分２２が、把持部４と結合した支持部３によって支持されている。
本実施形態の把持部４を構成するチューブ容器４０は、手により押圧変形する胴部４２と、胴部４２の一端に取り付けられた接続キャップ部材４１とを備えている。その接続キャップ部材４１には、支持部３を接続するための接続部４１ａが形成されており、接続部４１ａに、支持部３の下端部が、螺合、嵌合、接着等の任意の方法により化粧料が漏れないように接続されている。そして、塗布部２を構成する弾性成形体２２、支持部３及び接続キャップ部材４１のそれぞれに、把持部４の軸方向Ｘに延びる貫通孔が形成されており、それらの貫通孔により、チューブ容器４０内に収容された化粧料を、塗布部の塗布面となる上面２ａから吐出させる化粧料吐出孔２１が形成されている。本実施形態の化粧料塗布具１においては、胴部４２を手に持ちながらその手で胴部４２を押圧することにより、胴部４２内に収容した化粧料を、化粧料吐出孔２１から吐出させて塗布部の上面２ａ（塗布面）に供給することができる。
【００１６】
化粧料塗布具１の好ましい使用方法の一例について図４を参照しつつ説明する。
先ず、把持部４を把持して化粧料塗布具１を手５に持ち、把持部４を構成するチューブ容器４０を適度に加圧し、化粧料吐出孔２１から、塗布部２上に適宜の量の化粧料を吐出させる。
そして、その塗布部２を、顔等における肌面に当てて、該肌面に化粧料を付着させる。次いで、塗布部２を、肌面に接触させつつ移動させて、該肌面に塗り広げる。
また、塗布部２を肌面に接触させて移動させつつ、化粧料吐出孔２１から化粧料を直接肌面に吐出させても良い。
【００１７】
本実施形態の化粧料塗布具１によれば、図３（ａ）に示すように、吐出孔２１の全体が、距離Ｌを２等分する中央位置Ｃより傾斜下端側の他端部２ｄ側に位置するため、化粧料塗布具１を図５に示すように持って、化粧料の塗布操作を行う際に、塗布面となる塗布部２の上面２ａが、化粧料吐出孔２１より上方にも広い面積を有しており、例えば、塗布部２を上方から下方に移動させた場合にも、化粧料吐出孔２１より上方に位置する広い領域で、化粧料を塗り広げることができる。また、その逆に、塗布部２を下方から上方に移動させた場合にも、塗布部２、特に塗布面となる上面２ａが傾斜していることによって、化粧料が下方に垂れたりし難く、化粧料を肌面に塗り広げることができる。
本実施形態の化粧料塗布具１によれば、例えば、このようにして、化粧料を肌に効率良く塗り広げることができる。
【００１８】
化粧料の塗り広げ易さを確実に向上させる観点から、塗布面となる塗布部２の上面２ａに開口する化粧料吐出孔２１の中心位置２１ｃは、塗布部２の傾斜下端側の端部２ｄからの距離Ｌ１が、好ましくは前記距離Ｌの１０％以上５０％未満であり、より好ましくは１５〜３５％であり、更に好ましくは２５〜３０％である。
【００１９】
また、本実施形態の化粧料塗布具１においては、塗布部２における弾性成形体からなる部分２２が、図３（ｂ）に示すように、塗布部２の傾斜上端側に、支持部３の周面の位置より延出した部分２２ｕを有している。また、塗布部２における弾性成形体からなる部分２２は、塗布部２の傾斜下端側にも、支持部３の周面の位置より延出した部分２２ｄを有している。また、前記部分２２は、図３（ａ）に示すように、支持部３の周面から側方に向かって延出した部分２２ｓも有しており、該部分２２は、支持部３の周方向の全周に亘って、該支持部３の周面から延出する部分２２ｕ，２２ｄ，２２ｓを有している。
【００２０】
本実施形態における塗布部２は、把持部４の軸方向Ｘに対して傾斜しており、支持部３の周面から、塗布部２の傾斜上端側の端部２ｕまでの距離Ｌｕが、該支持部３の周面から、塗布部２の傾斜下端側の端部２ｄまでの距離Ｌｄよりも長くなっている。弾性成形体からなる部分２２が、傾斜上端側の端部２ｕ側に向かって、支持部３の周面から大きく延出することにより、塗布部２は、塗布部２の傾斜上端側の端部２ｕ付近が、肌面に押し当てられたときに下方に向かって変位するとともに良好な復元力を示す。これにより、塗布面の肌面に対する追従変形性が向上し、化粧料を一層なめらか（スムーズ）に塗り広げることができる。
【００２１】
前記距離Ｌｕは、前記距離Ｌｄより大きいことが好ましい。前記距離Ｌｕが前記距離Ｌｄより大きいという場合には、前記距離Ｌｄがゼロである場合と前記距離Ｌｄがゼロでない場合の両方が含まれる。
また、前記距離Ｌｕは、好ましくは３ｍｍ以上、より好ましくは４ｍｍ以上であり、また、好ましくは１０ｍｍ以下、より好ましくは６ｍｍ以下である。また、前記距離Ｌｕと前記距離Ｌｄとの差（Ｌｕ−Ｌｄ）は、好ましくは１ｍｍ以上、より好ましくは５ｍｍ以上であり、また、好ましくは１０ｍｍ以下、より好ましくは６ｍｍ以下である。
【００２２】
本実施形態における塗布部２は、弾性成形体からなる部分２２と、該部分２２に周囲を囲まれた、該弾性成形体より硬い材料からなるマッサージ用構造体２３とを備えている。
塗布部２がマッサージ用構造体２３を備えることで、化粧料を肌面に塗り広げる最中、あるいは化粧料を肌面に塗り広げた後に、塗布部２を肌面に強く押し付けつつ塗布部２を動かすと、マッサージ用構造体２３の硬い感触が肌に伝わり、該肌面を簡便にマッサージすることができる。また、マッサージ用構造体２３を強く押し付けることにより、顔面等に存在する指圧のツボを、簡便にツボ押しすることもできる。
本実施形態における塗布部２は、弾性成形体からなる部分２２を支持する支持部３を有しており、マッサージ用構造体２３としての突起が、該支持部３の傾斜した上面３ａに突設されている。
なお、塗布部２は、把持部４の軸方向Ｘから見た平面視形状が円形又は楕円形状であり、塗布部２の上面２ａの法線方向から見た形状が楕円形状となっている。
なお、支持部３は、横断面形状が円形であるが、横断面形状は、円形に代えて、楕円形や矩形等の他の形状とすることもできる。
【００２３】
本実施形態におけるマッサージ用構造体２３としての突起は、それぞれ、凸曲面状の先端部を有しており、より具体的には、円柱状の軸部の上端に半球状の凸曲面部を有している。また、塗布部２を構成する弾性成形体２２には、それらの突起と合致する大きさ及び形状の嵌合凹部２４が形成されており、マッサージ用構造体２３は、対応する嵌合凹部２４内に空間が生じないように挿入されている。
なお、塗布部２の嵌合凹部２４の内面と、それに接する突起（マッサージ構造体）の表面との間は、接着剤や融着等の適宜の接合手段により接合されていても良いし、非接合状態で当接していても良い。また、塗布部２と支持部３とは、嵌合凹部２４とマッサージ用構造体２３としての突起との接合や嵌合によって一体化されていても良いし、それ以外の方法によって一体化されていても良い。
【００２４】
マッサージ用構造体２３は、少なくとも、塗布部２を形成する弾性成形体より硬いものであれば良い。マッサージ用構造体２３の形成材料は、合成樹脂製であることが好ましいが、金属製、セラミック製、ガラス製、木製等であっても良い。
【００２５】
マッサージ用構造体２３は、ＪＩＳ  Ｋ６２５３で規定するデュロメータ硬さが、好ましくは３０超、より好ましくは６０以上であり、また、好ましくは３０超９０以下、より好ましくは６０以上９０以下である。また、塗布部２を構成する弾性成形体と、それよりも硬いマッサージ構造体２３との、ＪＩＳ  Ｋ６２５３で規定するデュロメータ硬さの差は、好ましくは２０以上、より好ましくは３０以上であり、また、好ましくは２０〜９０、より好ましくは３０〜９０である。
【００２６】
マッサージ用構造体２３や支持部３を合成樹脂から形成する場合の合成樹脂としては、例えば、ポリプロピレン（ＰＰ）、ポリエチレン（ＰＥ）等のポリオレフィン樹脂、ポリエチレンテレフタレート等のポリエステル樹脂、ポリアミド、ＡＢＳ樹脂等が挙げられる。なお、本実施形態におけるマッサージ用構造体２３と支持部３とは一体成形されているが、これに代えて、両者が、同種又は異種材料からなる別部材を結合したものであっても良い。
【００２７】
本実施形態の化粧料塗布具１における塗布部２は、人の手の指先大の大きさを有しており、その指先の腹に相当する箇所が塗布面２ａとなっている。指先大の大きさであることによって、顔面等に分布する個々のツボを押圧し易い。このような観点から、例えば、塗布部２は、塗布面２ａをその法線方向から見た最大径Ｌ２（図１参照）が、好ましくは８ｍｍ〜３０ｍｍであり、より好ましくは１０ｍｍ〜２４ｍｍである。
【００２８】
なお、化粧料塗布具で塗布する化粧料は、肌に塗布して使用される化粧料であれば特に制限されるものではなく、例えば、マッサージ剤、美容液、保湿クリーム、ファンデーションなどが挙げられる。また、化粧料の形態も特に制限されず、例えば、液状、クリーム状、半固体状等が挙げられる。
【００２９】
以上、本発明をその好ましい実施形態に基づき説明したが、本発明は上述した実施形態に制限されず適宜変更可能である。
【００３０】
例えば、上述した実施形態の化粧料塗布具１おいては、塗布部２の上面２ａ及び下面２ｂが共に、把持部４の軸方向Ｘに対して傾斜していたが、塗布面となる上面２ａのみが傾斜するものであっても良い。また塗布部２の上面２ａ及び下面２ｂは、同じ角度で把持部４の軸方向Ｘに対して傾斜する必要は必ずしもなく、異なる角度で傾斜していても良い。なお、塗布面となる塗布部２の上面２ａの、把持部４の軸方向Ｘと直交する平面Ｓに対する傾斜角度θ（図１参照）は、好ましくは５°以上、より好ましくは１５°以上であり、また、好ましくは８９°以下、より好ましくは８０°以下であり、また、好ましくは３０〜７０°、より好ましくは４０〜６０°である。
【００３１】
また、上述した化粧料塗布具１においては、マッサージ用構造体２３は、その先端部が、塗布面２ａに達しないものであったが、図５に示す実施形態のように、マッサージ用構造体２３が、塗布面となる塗布部の上面２ａに達して、マッサージ用構造体２３の一部が、弾性成形体からなる部分２２とともに傾斜した塗布面２ａを形成していても良い。図５に示す実施形態の塗布部２も、マッサージ用構造体２３が、弾性成形体からなる部分２２に周囲を囲まれている。
【００３２】
また、上述した化粧料塗布具１においては、マッサージ用構造体２３としての突起が、把持部４の軸方向Ｘに突出していたが、マッサージ用構造体として、把持部４の軸方向Ｘに対して傾斜した支持部の上面に、該上面の法線方向に突出する突起を備えていても良い。また、マッサージ用構造体としての突起は、円柱状の軸部を有するものに代えて、円錐台状の軸部を有するものであっても良く、半球状の凸曲面部のみからなるものであっても良い。
【００３３】
また、上述した実施形態の化粧料塗布具１は、塗布面に開口する化粧料吐出孔を有し、把持部４を構成するチューブ容器が、化粧料の収容部や化粧料の吐出装置として機能するものであったが、チューブ容器以外の容器、例えばエアゾール容器等を把持部とするものであっても良いし、把持部以外に設けた収容部から、塗布部に化粧料を供給するようにしても良い。
【００３４】
また、支持部３を適宜太くして、塗布部２における弾性成形体からなる部分２２が支持部３の周面内に配置されていても良い。即ち、塗布部２における弾性成形体からなる部分２２が、支持部３の周面から延出する部分を有しなくても良い。
また塗布面は、曲面であっても良い。
【符号の説明】
【００３５】
１  化粧料塗布具
２  塗布部
２１  化粧料吐出孔
２２  弾性成形体からなる部分
２３  マッサージ用構造体
２４  嵌合凹部
２ｕ  傾斜上端側の端部（一端部）
２ｄ  傾斜下端側の端部（他端部）
２ａ  上面（塗布面）
２ｂ  下面
２ｃ  周側面
３  支持部
３ａ  上面
４  把持部
４０  チューブ容器
４１  接続キャップ部材
４１ａ  接続部
４２  胴部
５  手
【図１】
2015019835.tif 000003
【図２】
2015019835.tif 000004
【図３】
2015019835.tif 000005
【図４】
2015019835.tif 000006
【図５】
2015019835.tif 000007